【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータの第１のピクチャについてピクチャ順序カウント（ＰＯＣ）値を参照する第２のピクチャのデータを復号することと、
前記第１のピクチャについて第２次元ピクチャ識別子を参照する前記第２のピクチャのデータを復号することと、ここで、前記第２次元ピクチャ識別子と前記ＰＯＣは、ともに２次元の単一レイヤのベースビデオコーディング仕様に対する３次元および／またはマルチレイヤ拡張においてピクチャを識別し、
前記ベースビデオコーディング仕様に従って、前記第１のピクチャの前記ＰＯＣ値と前記第２次元ピクチャ識別子とに少なくとも一部基づいて前記第２のピクチャを復号することと、
を備え、前記方法は、
前記第２のピクチャの第１のブロックの第１の動きベクトルと前記第２のピクチャの第２のブロックの第２の動きベクトルとの間の動きベクトル予測をディセーブルにすることを備えることを特徴とし、前記第１の動きベクトルは短期参照ピクチャを参照し、前記第２の動きベクトルは長期参照ピクチャを参照する、
方法。
【請求項２】
ビデオデータを符号化する方法であって、
ビデオデータの第１のピクチャについてピクチャ順序カウント（ＰＯＣ）値を参照する第２のピクチャのデータを符号化することと、
前記第１のピクチャについて第２次元ピクチャ識別子を参照する前記第２のピクチャのデータを符号化することと、ここで、前記第２次元ピクチャ識別子と前記ＰＯＣは、ともに２次元の単一レイヤのベースビデオコーディング仕様に対する３次元および／またはマルチレイヤ拡張においてピクチャを識別し、
前記ベースビデオコーディング仕様に従って、前記第１のピクチャの前記ＰＯＣ値と前記第２次元ピクチャ識別子とに少なくとも一部基づいて前記第２のピクチャを符号化することと、
を備え、前記方法は、
前記第２のピクチャの第１のブロックの第１の動きベクトルと前記第２のピクチャの第２のブロックの第２の動きベクトルとの間の動きベクトル予測をディセーブルにすることを備えることを特徴とし、前記第１の動きベクトルは短期参照ピクチャを参照し、前記第２の動きベクトルは長期参照ピクチャを参照する、
方法。
【請求項３】
前記ＰＯＣ値と前記第２次元ピクチャ識別子とを使用して前記第１のピクチャを識別することと、
前記第１のピクチャに対して前記第２のピクチャの少なくとも一部分をコーディングすることと、
をさらに備える、請求項１または２に記載の方法。
【請求項４】
前記第１のピクチャを識別することは、前記第２のピクチャのブロックについての動きベクトルのコーディングの間に前記第１のピクチャを識別することを備え、前記動きベクトルのコーディングは、発展型動きベクトル予測（ＡＭＶＰ）、時間的動きベクトル予測（ＴＭＶＰ）、およびＨＥＶＣのマージモードのうちの少なくとも１つに従って前記動きベクトルをコーディングすることを備える、請求項３に記載の方法。
【請求項５】
前記第２のピクチャの第１の短期動きベクトルと前記第２のピクチャの第２の短期動きベクトルとの間の予測をイネーブルにすることと、
前記第１の短期動きベクトルによって参照される第１の短期参照ピクチャについてのＰＯＣ値と、前記第２の短期動きベクトルによって参照される第２の短期参照ピクチャについてのＰＯＣ値とに基づいて、前記第１の短期動きベクトルと前記第２の短期動きベクトルとのうちの少なくとも１つをスケーリングすることと、
をさらに備える、請求項１または２に記載の方法。
【請求項６】
前記ビデオデータの第３のピクチャが長期参照ピクチャを備えるかどうかを示す値を符号化することをさらに備え、前記第３のピクチャが前記長期参照ピクチャを備えるかどうかを示す前記値がさらに、前記第３のピクチャがビュー間予測に使用されるかどうかを示す、請求項１または２に記載の方法。
【請求項７】
前記ベースビデオコーディング仕様への拡張に従って、前記第１のピクチャの前記ＰＯＣ値と前記第２次元ピクチャ識別子とに少なくとも一部基づいて第３のピクチャをそれぞれ符号化することまたは復号することをさらに備える、請求項１または２に記載の方法。
【請求項８】
前記第３のピクチャをコーディングする前に、すべてのビュー間参照ピクチャを、長期参照ピクチャとしてマークすることをさらに備え、
前記ビュー間参照ピクチャの各々の状態を、前記ビュー間参照ピクチャを長期参照ピクチャとしてマークする前に記憶することと、ここで前記状態は、長期参照ピクチャ、短期参照ピクチャ、および参照に使用されない、のうちの１つを備え、
前記第２のピクチャをコーディングした後、前記記憶された状態に基づいて、前記ビュー間参照ピクチャの各々の新たな状態を設定することと、
をさらに備える、請求項７に記載の方法。
【請求項９】
前記ベースビデオコーディング仕様は高効率ビデオコーディング（ＨＥＶＣ）ベース仕様を備え、前記ベースビデオコーディング仕様への前記拡張は、前記ＨＥＶＣベース仕様に対するスケーラブルビデオコーディング（ＳＶＣ）拡張と、前記ＨＥＶＣベース仕様に対するマルチビュービデオコーディング（ＭＶＣ）拡張との１つを備える、請求項７に記載の方法。
【請求項１０】
第３のピクチャをコーディングした後、各ビュー間参照ピクチャを、長期参照ピクチャ、短期参照ピクチャ、および参照に使用されない、のうちの１つとしてマークすることをさらに備える、請求項１または２に記載の方法。
【請求項１１】
ビュー間参照ピクチャを長期参照ピクチャとしてマークした後、現在使用されていない新たなＰＯＣ値を前記ビュー間参照ピクチャに割り当てることと、
前記第２のピクチャをコーディングした後、前記ビュー間参照ピクチャについての元のＰＯＣ値をリストアすることと、ここで、前記元のＰＯＣ値は、前記第２のピクチャの前記ＰＯＣ値を備え、
をさらに備える、請求項１０に記載の方法。
【請求項１２】
前記第２次元ピクチャ識別子は、前記第１のピクチャを含むビューのビュー識別子、前記第１のピクチャを含む前記ビューのビュー順序インデックス、前記ビュー順序インデックスと深度フラグとの組合せ、前記第１のピクチャを含むスケーラブルビデオコーディング（ＳＶＣ）レイヤのレイヤ識別子、および一般的なレイヤ識別子のうちの少なくとも１つを備える、請求項１または２に記載の方法。
【請求項１３】
ビデオデータを復号するためのデバイスであって、
ビデオデータの第１のピクチャについてピクチャ順序カウント（ＰＯＣ）値を参照する第２のピクチャのデータを復号し、
前記第１のピクチャについて第２次元ピクチャ識別子を参照する前記第２のピクチャのデータを復号し、ここで、前記第２次元ピクチャ識別子と前記ＰＯＣは、ともに２次元の単一レイヤのベースビデオコーディング仕様に対する３次元および／またはマルチレイヤ拡張においてピクチャを識別し、
前記ベースビデオコーディング仕様に従って、前記第１のピクチャの前記ＰＯＣ値および前記第２次元ピクチャ識別子に少なくとも一部基づいて、前記第２のピクチャを復号するように構成されたビデオデコーダ手段を備え、前記ビデオデコーダ手段は、
前記第２のピクチャの第１のブロックの第１の動きベクトルと前記第２のピクチャの第２のブロックの第２の動きベクトルとの間の動きベクトル予測をディセーブルにするように構成されることを特徴とし、前記第１の動きベクトルは短期参照ピクチャを参照し、前記第２の動きベクトルは長期参照ピクチャを参照する、
デバイス。
【請求項１４】
ビデオデータを符号化するためのデバイスであって、
ビデオデータの第１のピクチャについてピクチャ順序カウント（ＰＯＣ）値を参照する第２のピクチャのデータを符号化する手段と、
前記第１のピクチャについて第２次元ピクチャ識別子を参照する前記第２のピクチャのデータを符号化する手段と、ここで、前記第２次元ピクチャ識別子と前記ＰＯＣは、ともに２次元の単一レイヤのベースビデオコーディング仕様に対する３次元および／またはマルチレイヤ拡張においてピクチャを識別し、
ベースビデオコーディング仕様に従って、前記第１のピクチャの前記ＰＯＣ値と前記第２次元ピクチャ識別子とに少なくとも一部基づいて前記第２のピクチャを符号化する手段と、
を備え、前記デバイスは、
前記第２のピクチャの第１のブロックの第１の動きベクトルと前記第２のピクチャの第２のブロックの第２の動きベクトルとの間の動きベクトル予測をディセーブルにする手段を備えることを特徴とし、前記第１の動きベクトルは短期参照ピクチャを参照し、前記第２の動きベクトルは長期参照ピクチャを参照する、
デバイス。
【請求項１５】
実行されると、プロセッサに、請求項１乃至１２のうちのいずれか一項に記載の方法を行わせる命令を記憶したコンピュータ可読記憶媒体。